(57)【要約】【課題】特別なキー操作を必要とすることなく、特番ダイヤルによる音声サービスを利用する際に正確な情報を得ることが可能な携帯電話機を提供する。【解決手段】携帯電話機１では無線通信によって音声情報を受信する場合、アンテナ１３を通して無線部１４で受信し、変復調部１５で復調を行い、ベースバンド処理部１６で音声情報のデータを抽出し、音声処理部１７で受信した音声をＤ／Ａ変換等の信号処理をした上で、スピーカ１９を通じて音声出力を行う。携帯電話機１では無線通信によって音声情報と同時に、文字情報を受信する場合、アンテナ１１を通して無線部１４で受信し、変復調部１５で復調を行い、ベースバンド処理部１６で文字情報のデータを抽出し、制御部２０で受信した文字情報をメモリ２１に格納するとともに、表示部１１への表示を行う。【選択図】　　　図２
2004128823.tif 000002
【特許請求の範囲】
【請求項１】
予め設定された特定番号をダイヤルすることで音声にて提供される音声情報を受信可能な携帯電話機であって、
前記音声情報と、前記音声情報と同一内容でかつ前記音声情報と同時に提供される文字情報とを受信する受信手段と、前記受信手段で受信した前記音声情報を出力する出力手段と、前記出力手段による前記音声情報の出力と同時に前記受信手段で受信した前記文字情報を表示する表示手段とを有することを特徴とする携帯電話機。
【請求項２】
前記音声情報と前記文字情報とのうちの少なくとも一つを指定する指定手段を含むことを特徴とする請求項１記載の携帯電話機。
【請求項３】
携帯電話機からの要求に応答して音声情報を前記携帯電話機に提供する情報提供サービス局であって、
前記音声情報と、前記音声情報と同一内容でかつ前記音声情報と同時に提供する文字情報とを前記携帯電話機に送信する手段を有することを特徴とする情報提供サービス局。
【請求項４】
前記携帯電話機から指定要求に応じて前記音声情報と前記文字情報とのうちの少なくとも一つを送信することを特徴とする請求項３記載の情報提供サービス局。
【請求項５】
携帯電話機からの要求に応答して音声情報を情報提供サービス局から前記携帯電話機に提供する携帯電話システムであって、
前記音声情報と、前記音声情報と同一内容でかつ前記音声情報と同時に提供する文字情報とを前記携帯電話機に送信する手段を前記情報提供サービス局に有し、
前記音声情報と前記文字情報とを同時に受信する受信手段と、前記受信手段で受信した前記音声情報を出力する出力手段と、前記出力手段による前記音声情報の出力と同時に前記受信手段で受信した前記文字情報を表示する表示手段とを前記携帯電話機に有することを特徴とする携帯電話システム。
【請求項６】
前記音声情報と前記文字情報とのうちの少なくとも一つを指定する指定手段を前記携帯電話機に含むことを特徴とする請求項５記載の携帯電話システム。
【請求項７】
前記情報提供サービス局は、前記携帯電話機から要求に応じて前記音声情報と前記文字情報とのうちの少なくとも一つを送信することを特徴とする請求項６記載の携帯電話システム。
【請求項８】
予め設定された特定番号をダイヤルすることで音声にて提供される音声情報を受信可能な携帯電話機の音声・文字同時通信方法であって、
前記音声情報と、前記音声情報と同一内容でかつ前記音声情報と同時に提供される文字情報とを受信するステップと、その受信した前記音声情報を出力するステップと、その受信した前記文字情報を前記音声情報の出力と同時に表示するステップとを有することを特徴とする音声・文字同時通信方法。
【請求項９】
前記音声情報と前記文字情報とのうちの少なくとも一つを指定するステップを含むことを特徴とする請求項８記載の音声・文字同時通信方法。
【請求項１０】
携帯電話機からの要求に応答して音声情報を前記携帯電話機に提供する情報提供サービス局の音声・文字同時通信方法であって、
前記音声情報と、前記音声情報と同一内容でかつ前記音声情報と同時に提供する文字情報とを前記携帯電話機に送信するステップを有することを特徴とする音声・文字同時通信方法。
【請求項１１】
前記携帯電話機から指定要求に応じて前記音声情報と前記文字情報とのうちの少なくとも一つを送信することを特徴とする請求項１０記載の音声・文字同時通信方法。
【請求項１２】
予め設定された特定番号をダイヤルすることで音声にて提供される音声情報を受信可能な携帯電話機の音声・文字同時通信方法のプログラムであって、
コンピュータに、
前記音声情報と、前記音声情報と同一内容でかつ前記音声情報と同時に提供される文字情報とを受信する処理と、その受信した前記音声情報を出力する処理と、その受信した前記文字情報を前記音声情報の出力と同時に表示する処理とを実行させるためのプログラム。
【請求項１３】
携帯電話機からの要求に応答して音声情報を前記携帯電話機に提供する情報提供サービス局の音声・文字同時通信方法のプログラムであって、コンピュータに、前記音声情報と、前記音声情報と同一内容でかつ前記音声情報と同時に提供する文字情報とを前記携帯電話機に送信する処理を実行させるためのプログラム。
【発明の詳細な説明】
【０００１】
【発明の属する技術分野】
本発明は携帯電話機、情報提供サービス局、携帯電話システム及び音声・文字同時通信方法並びにそのプログラムに関し、特に携帯電話を用いた音声及び文字情報の伝達方法に関する。
【０００２】
【従来の技術】
従来、携帯電話を用いた音声及び文字情報の伝達方法においては、情報送受信局が複数の選択メニューからなるデータを携帯電話に送信し、その携帯電話から上記の選択メニューのうちの一つを送信すると、その内容が情報送受信局で受信される。
【０００３】
情報送受信局は受信したメニューに応じた内容の音声情報及びその音声情報に対応した内容の文字情報を携帯電話に送信することで、携帯電話を用いて音声及び文字情報の伝達が行われる（例えば、特許文献１参照）。
【０００４】
【特許文献１】
特開２００１−３２０４８９号公報（第４頁、図７）
【０００５】
【発明が解決しようとする課題】
しかしながら、上述した従来の音声及び文字情報の伝達方法では、特許文献１に記載された技術の場合、音声を聞くのか、または文字情報を携帯電話の画面上で見るのかを選択することを前提としているため、携帯電話機の使用者が音声を聞くのか、または文字情報を見るのかをキー操作で切替える必要があり、手間が掛かるという問題がある。
【０００６】
また、１７７番（天気予報）や１１７番（時報）、及びその他通信事業者が提供する等の特番ダイヤルは音声のみによるサービスであるため、その特番ダイヤルによる音声サービスが、騒音の激しい場所で聞こえにくいという問題がある。
【０００７】
そこで、本発明の目的は上記の問題点を解消し、特別なキー操作を必要とすることなく、特番ダイヤルによる音声サービスを利用する際に正確な情報を得ることができる携帯電話機、情報提供サービス局、携帯電話システム及び音声・文字同時通信方法並びにそのプログラムを提供することにある。
【０００８】
【課題を解決するための手段】
本発明による携帯電話機は、予め設定された特定番号をダイヤルすることで音声にて提供される音声情報を受信可能な携帯電話機であって、
前記音声情報と、前記音声情報と同一内容でかつ前記音声情報と同時に提供される文字情報とを受信する受信手段と、前記受信手段で受信した前記音声情報を出力する出力手段と、前記出力手段による前記音声情報の出力と同時に前記受信手段で受信した前記文字情報を表示する表示手段とを備えている。
【０００９】
本発明による情報提供サービス局は、携帯電話機からの要求に応答して音声情報を前記携帯電話機に提供する情報提供サービス局であって、
前記音声情報と、前記音声情報と同一内容でかつ前記音声情報と同時に提供する文字情報とを前記携帯電話機に送信する手段を備えている。
【００１０】
本発明による携帯電話システムは、携帯電話機からの要求に応答して音声情報を情報提供サービス局から前記携帯電話機に提供する携帯電話システムであって、
前記音声情報と、前記音声情報と同一内容でかつ前記音声情報と同時に提供する文字情報とを前記携帯電話機に送信する手段を前記情報提供サービス局に備え、
前記音声情報と前記文字情報とを同時に受信する受信手段と、前記受信手段で受信した前記音声情報を出力する出力手段と、前記出力手段による前記音声情報の出力と同時に前記受信手段で受信した前記文字情報を表示する表示手段とを前記携帯電話機に備えている。
【００１１】
本発明による音声・文字同時通信方法は、予め設定された特定番号をダイヤルすることで音声にて提供される音声情報を受信可能な携帯電話機の音声・文字同時通信方法であって、
前記音声情報と、前記音声情報と同一内容でかつ前記音声情報と同時に提供される文字情報とを受信するステップと、その受信した前記音声情報を出力するステップと、その受信した前記文字情報を前記音声情報の出力と同時に表示するステップとを備えている。
【００１２】
本発明による他の音声・文字同時通信方法は、携帯電話機からの要求に応答して音声情報を前記携帯電話機に提供する情報提供サービス局の音声・文字同時通信方法であって、
前記音声情報と、前記音声情報と同一内容でかつ前記音声情報と同時に提供する文字情報とを前記携帯電話機に送信するステップを備えている。
【００１３】
本発明による音声・文字同時通信方法のプログラムは、予め設定された特定番号をダイヤルすることで音声にて提供される音声情報を受信可能な携帯電話機の音声・文字同時通信方法のプログラムであって、
コンピュータに、
前記音声情報と、前記音声情報と同一内容でかつ前記音声情報と同時に提供される文字情報とを受信する処理と、その受信した前記音声情報を出力する処理と、その受信した前記文字情報を前記音声情報の出力と同時に表示する処理とを実行させている。
【００１４】
本発明による他の音声・文字同時通信方法のプログラムは、携帯電話機からの要求に応答して音声情報を前記携帯電話機に提供する情報提供サービス局の音声・文字同時通信方法のプログラムであって、コンピュータに、前記音声情報と、前記音声情報と同一内容でかつ前記音声情報と同時に提供する文字情報とを前記携帯電話機に送信する処理を実行させている。
【００１５】
すなわち、本発明の携帯電話機は、音声サービスと同時に文字情報を受信することによって、音声サービスと同様の情報を文字情報でも確認可能としたことを特徴とする。
【００１６】
より具体的に説明すると、本発明の携帯電話機では、例えば１７７番（天気予報）をダイヤル発信した場合、情報提供サービス局が音声情報と同時に、文字情報によって音声と同様の内容を伝えるものである。携帯電話機は音声情報と文字情報とを受信すると、レシーバより音声情報を流すと同時に、ＬＣＤ（Ｌｉｑｕｉｄ　Ｃｒｙｓｔａｌ　Ｄｉｓｐｌａｙ）等の表示部に受信した文字情報を表示する。
【００１７】
これによって、携帯電話機の使用者は文字情報を見るための特別なキー操作を行うことなく、従来通りに、１７７番のダイヤル発信のみを行うだけで、騒音が激しい場所（電話の音声が聞き取れない程の人混み等）でも、文字情報を見ることによって正確な情報を得ることが可能となる。
【００１８】
上記のように、本発明の携帯電話機では、音声情報と文字情報とを同時に受信する機能と、音声出力と文字情報の表示とを同時に行う機能とを備えることで、音声を聞く場合や文字情報を見る場合に、携帯電話機の使用者による特別なキー操作が不要となる。
【００１９】
この場合、本発明の携帯電話機では、１７７番（天気予報）や１１７番（時報）、及びその他の通信事業者が提供する特番ダイヤルによる音声サービスを利用する際に、騒音が激しい場所で受話音声が聞こえない場合でも、文字情報によって表示部で情報の視認が可能となり、正確な情報を得ることが可能となる。
【００２０】
【発明の実施の形態】
次に、本発明の実施例について図面を参照して説明する。図１は本発明の一実施例による携帯電話システムの構成を示すブロック図である。図１において、本発明の一実施例による携帯電話システムは表示部１１及びキー操作部１２を備えた携帯電話機１と、携帯電話基地局２と、交換機３と、情報提供サービス局４とから構成されている。
【００２１】
携帯電話機１は情報提供サービス局４へのダイヤル発信操作を行う場合、携帯電話基地局２との通信を行い、通信が確立すると、携帯電話基地局２が交換機３を経由して情報提供サービス局４との通信を確立する。
【００２２】
情報提供サービス局４は携帯電話機１に対して音声情報を送信する場合、その音声情報を交換局３及び携帯電話基地局２を経由して携帯電話機１に送信する。携帯電話機１は音声情報を受信すると、受話音声を内蔵レシーバ（図示せず）から出力するので、携帯電話機１の使用者は内蔵レシーバから音声情報を聞くことができる。
【００２３】
ここで、情報提供サービス局４は音声情報を送信すると同時に、音声情報と同様の内容の文字情報をも合わせて送信するものとする。情報提供サービス局４は携帯電話機１に対して文字情報を送信する場合、その文字情報を交換局３及び携帯電話基地局２を経由して携帯電話機１に送信する。携帯電話機１は文字情報を受信すると、搭載するＬＣＤ等の表示部１１に文字情報の表示を行う。
【００２４】
以上によって、情報提供サービス局４から送信された音声情報及び文字情報は、携帯電話機１でそれぞれ内蔵レシーバからの音声出力と、表示部１１への表示とを行うことになり、携帯電話機１の使用者は音声のみならず、情報を視認することができる。これによって、携帯電話機１の音声が聞こえないような騒音の激しい繁華街等でも、正確な情報を得ることができる。
【００２５】
図２は図１の携帯電話機１の構成を示すブロック図である。図２において、携帯電話機１はプログラム制御によって動作するＣＰＵ（中央処理装置）等を示す制御部２０と、動作プログラムや各種情報を格納するメモリ２１と、キー入力を行うキー操作部１２と、キー入力した情報や無線通信によって受信したデータ（文字情報、インタネットのホームページ等）を表示する表示部１１と、各種音声（受話音声やキー操作時のトーンや着信音等）を出力するスピーカ１９と、通話時に音声を入力するマイク１８と、音声のＤ／Ａ（ディジタル／アナログ）変換及びＡ／Ｄ（アナログ／ディジタル）変換等を行う音声処理部１７と、無線信号処理の送受信タイミング制御や無線信号通信時の割込信号出力制御を行うベースバンド処理部１６と、無線信号の変復調処理を行う変復調部１５と、物理的に無線信号の送受信を行う無線部１４と、アンテナ１３とから構成されている。
【００２６】
図３は図１の情報提供サービス局４の構成を示すブロック図である。図３において、情報提供サービス局４はプログラム制御によって動作するＣＰＵ等を示す制御部４１と、動作プログラムや各種情報を格納するメモリ４２と、オペレータ等がメンテナンス等に使用するキーボードやスイッチ等からなる操作部４２と、外部の公衆通信網１００と通信する通信制御部４４と、音声情報を提供する機能を持つ音声情報提供部４５と、文字情報を提供する文字情報提供部４６とから構成されている。
【００２７】
図４は図１の携帯電話機の外観を示す正面図であり、図５は図１の携帯電話機１の動作を示すフローチャートであり、図６は図１の情報提供サービス局４の動作を示すフローチャートである。これら図１〜図６を参照して本発明の一実施例による携帯電話システムの動作について説明する。
【００２８】
尚、図５に示す処理は携帯電話機１の制御部２０がメモリ２１のプログラムを実行することで実現され、図６に示す処理は情報提供サービス局４の制御部４１がメモリ４２のプログラムを実行することで実現される。
【００２９】
まず、一般によく知られている特番ダイヤルサービスの１７７番（天気予報）のサービスを例にとって、携帯電話機１の使用者が１７７番のダイヤル操作を行ってから、音声サービスと文字情報サービスとを利用するまでの動作について説明する。
【００３０】
携帯電話機１の使用者は天気予報を知りたい場合、１７７番のダイヤル発信を行うため、初めにキー操作部１２に１７７番をキー入力し、発信操作を行う。その後、制御部２０はキー入力が行われたことを認識し（図５ステップＳ１）、そのダイヤル番号で発信操作が行われたことを認識すると、キー入力された数字を表示部１１に表示し（図５ステップＳ２）、ベースバンド処理部１６に指示し、携帯電話基地局２と通信を行うため、無線のタイミング制御等を行う（図５ステップＳ３）。
【００３１】
この時、ベースバンド処理部１６は変復調部１５に指示して無線信号の変復調処理を行い（図５ステップＳ４）、変復調部１５は無線部１４に指示し、変調した無線信号をアンテナ１３を通して携帯電話基地局２に送信する（図５ステップＳ５）。
【００３２】
携帯電話機１と携帯電話基地局２との間で無線通信が確立すると、携帯電話基地局２は交換機３を経由して、携帯電話機１からダイヤルされた通信先である情報提供サービス局４（本実施例の場合、天気予報サービスを行う情報提供サービス局）に接続する。
【００３３】
情報提供サービス局４は通信制御部４４を通して携帯電話機１からのサービスの要求を制御部４１によって認識する（図６ステップＳ２１）。制御部４１は携帯電話機１が発信した地域の天気予報を音声情報で伝達するため、音声情報提供部４５に指示して音声情報を出力し（図６ステップＳ２２）、通信制御部４４から公衆通信網１００に音声情報を流す（図６ステップＳ２４）。音声情報は交換機３及び携帯電話基地局２を経由し、無線通信によって携帯電話機１に伝達される。
【００３４】
携帯電話機１では無線通信によって音声情報を受信する場合、アンテナ１３を通して無線部１４で受信し（図５ステップＳ６）、変復調部１５で復調を行い（図５ステップＳ７）、ベースバンド処理部１６に音声情報を渡す。ベースバンド処理部１６では音声情報のデータを抽出し（図５ステップＳ８）、音声処理部１７に渡す。音声処理部１７では受信した音声をＤ／Ａ変換等の信号処理をした上で、スピーカ１９を通じて音声出力を行う（図５ステップＳ９）。こうした手順によって、携帯電話機１の使用者は天気予報を音声によって聞くことができる（図４のａ参照）。
【００３５】
本実施例では、上記の手順に加えて、情報提供サービス局４が音声情報と同時に、音声情報と同様の内容の文字情報をも送信するものとする。情報提供サービス局４の制御部４１は携帯電話機１が発信した地域の天気予報を文字情報で伝達するため、文字情報提供部４６に指示して文字情報を出力し（図６ステップＳ２３）、通信制御部４４から公衆通信網１００に文字情報を流す（図６ステップＳ２４）。情報提供サービス局４から送信された文字情報は交換機３及び携帯電話基地局２を経由し、無線通信によって携帯電話機１に文字情報を伝達する。
【００３６】
携帯電話機１では無線通信によって文字情報を受信する場合、アンテナ１１を通して無線部１４で受信し（図５ステップＳ６）、変復調部１５で復調を行い（図５ステップＳ１０）、ベースバンド処理部１６に文字情報を渡す。ベースバンド処理部１６では文字情報のデータを抽出し（図５ステップＳ１１）、制御部２０に渡す。制御部２０では受信した文字情報をメモリ２１に格納するとともに、表示部１１への表示を行う（図５ステップＳ１２）。
【００３７】
表示部１１において実際に表示されたイメージを図４に示す。「神奈川県　横浜市　１５：００の天気　晴れのち曇り」という文字情報は携帯電話機１の表示部１１に表示される。また、上記の手順によって受信した音声情報「神奈川県横浜市１５時の天気をお知らせします」はレシーバ２２から音声ａとして音声出力される。
【００３８】
上述した動作によって、携帯電話機１の使用者は天気予報サービスを音声と文字情報との両方で確認することができる。また、本実施例においては、携帯電話機１の使用者が文字情報を得るための特別なキー操作は必要がない。
【００３９】
尚、本実施例では特番ダイヤルサービスの内、天気予報サービスを例にとって説明したが、他の音声情報サービス（例えば、１１７番の時報サービスや、各通信事業者が提供している特番ダイヤルによる音声サービス）でも適用が可能である。
【００４０】
また、携帯電話機１と携帯電話基地局２との間での音声情報と文字情報とを同時に通信する通信方式は、音声情報と文字情報とを同じ周波数帯に多重化して通信する方式や、音声用の無線通信チャネルとデータ通信用の無線チャネルをそれぞれ別周波数帯を用いる方式や、音声情報と文字情報とをそれぞれパケット通信で通信する方式等、どの方式を採用しても構わない。
【００４１】
具体的に説明すると、第１の方式は、音声信号に文字情報を多重化して携帯電話機１に伝達する方法である。この場合、情報提供サービス局４は発信者に対して音声情報と文字情報とを一つの通信回線上のアナログ信号に多重化して送信する。
【００４２】
また、第２の方式は、音声信号とは別のＩＰ（Ｉｎｔｅｒｎｅｔ　Ｐｒｏｔｏｃｏｌ）プロトコルを用いて文字情報を伝達する方法である。この場合、情報提供サービス局４は発信者に対して音声情報とは別のＩＰ（Ｉｎｔｅｒｎｅｔ　Ｐｒｏｔｏｃｏｌ）プロトコルを使用して文字情報を送信するものとする。
【００４３】
発信者のＩＰアドレスは発信者が情報提供サービス局４（例えば、１７７番の天気予報等のサービスを行う情報提供サービス局）にダイヤル発信し、接続するためのシーケンスが行われる際、情報提供サービス局４側に伝達されるものとする。
【００４４】
第３の方式は、音声信号とは別のＰＰＰ（Ｐｏｉｎｔ　ｔｏ　Ｐｏｉｎｔ　Ｐｒｏｔｏｃｏｌ）プロトコルを用いて文字情報を伝達する方法である。この場合、現在の携帯電話機［例えば、Ｗ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）方式を用いた携帯電話機等］では、１つの端末で複数の呼接続を行うことができる。
【００４５】
この方式では、音声情報を従来通りのダイヤル発信（１７７番の天気予報等）によって音声情報を受取ることができる。それと同時に、文字情報は情報提供サービス局４と携帯電話機１との間でＰＰＰ接続による非制限ディジタル通信を行うことで受取ることができる。ここで、ＰＰＰ接続は携帯電話機１の使用者が意識することなく、音声発信を行うだけで、音声接続に加えてＰＰＰ接続をもあわせて行うものとする。
【００４６】
第４の方式は、ＶｏＩＰ（Ｖｏｉｃｅ　ｏｖｅｒ　Ｉｎｔｅｒｎｅｔ　Ｐｒｏｔｏｃｏｌ）を利用して音声情報と文字情報とを同時に伝達する方法である。この場合、インタネット電話で利用されているＶｏＩＰを利用することで、音声情報と文字情報とをともにディジタル情報として携帯電話機１に伝達することができる。
【００４７】
このように、本実施例では、携帯電話機１に音声情報と文字情報とを同時に受信する機能と、音声出力と文字情報の表示とを同時行う機能とを持たせ、情報提供サービス局４に音声情報と文字情報とを同時に送信する機能を持たせることによって、携帯電話機１で音声を聞くことと、文字情報を見ることとを、特別なキー操作を行うことなく、同時に実現することができる。
【００４８】
また、本実施例では１７７番（天気予報）や１１７番（時報）、及びその他の通信事業者が提供する特番ダイヤルによる音声サービスを利用する際に、騒音が激しい場所で受話音声が聞こえない場合でも文字情報によって表示部１１で情報の視認を行うことができ、正確な情報を得ることができる。
【００４９】
図７及び図８は本発明の他の実施例による携帯電話機の動作を示すフローチャートであり、図９は本発明の他の実施例による情報提供サービス局の動作を示すフローチャートである。
【００５０】
本発明の他の実施例による携帯電話システムは図１に示す本発明の一実施例による携帯電話システムと同様の構成となっており、本発明の他の実施例による携帯電話機は図２に示す本発明の一実施例による携帯電話機１と同様の構成となっており、本発明の他の実施例による情報提供サービス局は図３に示す本発明の一実施例による情報提供サービス局４と同様の構成となっている。
【００５１】
これら図１〜図３と図７〜図９とを参照して本発明の他の実施例による携帯電話システムの動作について説明する。尚、図７及び図８に示す処理は携帯電話機１の制御部２０がメモリ２１のプログラムを実行することで実現され、図９に示す処理は情報提供サービス局４の制御部４１がメモリ４２のプログラムを実行することで実現される。
【００５２】
上記の本発明の一実施例では特番ダイヤル発信を行うと、情報提供サービス局４が無条件に音声情報と文字情報とを送信し、携帯電話機１側では音声出力と文字情報の表示とを行っている。
【００５３】
これに対して、本発明の他の実施例では、携帯電話機１側に音声情報と文字情報とを要求する場合の組合せを予め設定可能な機能を持たせることによって、あるシーンでは従来の音声情報のみ、別のシーンでは文字情報のみ、またある時は音声情報と文字情報との両方のサービスを受ける事を可能にする。
【００５４】
以下、１７７番（天気予報）のサービスを例にとって、まず、音声情報のみのサービスを受ける場合の本発明の他の実施例による携帯電話システムの動作について説明する。
【００５５】
携帯電話機１の使用者は音声情報のみで天気予報を知りたい場合、キー操作部１２から所定のキー操作によって、音声情報のみのサービスを受けたい旨の設定を行う。制御部２０はこの設定を認識すると、メモリ２１にその旨を記憶する（図７ステップＳ３１〜Ｓ３３）。
【００５６】
その後、携帯電話機１の使用者は１７７番のダイヤル発信を行うため、初めにキー操作部１２に１７７番をキー入力して発信操作を行う。制御部２０はキー入力が行われたことを認識し、そのダイヤル番号で発信操作が行われたことを認識すると、キー入力された数字を表示部１１に表示し（図７ステップＳ３６）、ベースバンド処理部１６に指示し、携帯電話基地局２と通信を行うため、無線のタイミング制御等を行う（図７ステップＳ３７）。
【００５７】
この時、ベースバンド処理部１６は変復調部１５に指示して無線信号の変復調処理を行い（図７ステップＳ３８）、変復調部１５は無線部１４に指示し、変調した無線信号をアンテナ１１を通して携帯電話基地局２に送信する（図７ステップＳ３９）。
【００５８】
携帯電話機１と携帯電話基地局２との間で無線通信が確立すると、携帯電話基地局２は交換機３を経由して、携帯電話機１からダイヤルされた通信先である情報提供サービス局４（本実施例の場合、天気予報サービスを行う情報提供サービス局）に接続する。
【００５９】
ここで、情報提供サービス局４と携帯電話機１との通信が開始された時、携帯電話機１の制御部２０はメモリ２１に記憶した音声サービスのみを受信する旨の設定を読出し、情報提供サービス局４に自動的にその旨を通知する（図７ステップＳ４０）。
【００６０】
情報提供サービス局４は通信制御部４４を通して携帯電話機１からのサービスの要求を制御部４１によって認識する（図９ステップＳ６１）。この時、携帯電話機１からのサービスの要求が「音声情報のみ」であるかの情報を判断し（図９ステップＳ６２）、携帯電話機１が発信した地域の天気予報を音声情報で伝達するため、音声情報提供部４５に指示して音声情報を出力し（図９ステップＳ６３）、通信制御部４４から公衆通信網１００に音声情報を流す（図９ステップＳ６４）。音声情報は交換機３及び携帯電話基地局２を経由し、無線通信によって携帯電話機１に伝達される。
【００６１】
携帯電話機１では無線通信によって音声情報を受信する場合（図８ステップＳ４１，Ｓ４２）、アンテナ１３を通して無線部１４で受信し、変復調部１５で復調を行い（図８ステップＳ４３）、ベースバンド処理部１６に音声情報を渡す。ベースバンド処理部１６では音声情報のデータを抽出し（図８ステップＳ４４）、音声処理部１７に渡す。音声処理部１７では受信した音声をＤ／Ａ変換等の信号処理をした上で、スピーカ１９を通して出力する（図８ステップＳ４５）。
【００６２】
こうした手順によって、携帯電話機１の使用者は天気予報を音声によって聞くことができる。文字情報に関しては携帯電話機１の使用者が要求していないので、情報提供サービス局４から送信されない。
【００６３】
次に、文字情報のみのサービスを受ける場合について説明する。携帯電話機１の使用者は、文字情報のみで天気予報を知りたい場合、キー操作部１２から所定のキー操作によって、文字情報のみサービスを受けたい旨の設定を行う。制御部２０はこの設定を認識すると（図７ステップＳ３１，Ｓ３２）、メモリ２１にその旨を記憶する（図７ステップＳ３４）。
【００６４】
その後、携帯電話機１の使用者は１７７番のダイヤル発信を行うため、初めにキー操作部１２に１７７番をキー入力して発信操作を行う。制御部２０はキー入力が行われたことを認識し、そのダイヤル番号で発信操作が行われたことを認識すると、キー入力された数字を表示部１１に表示し（図７ステップＳ３６）、ベースバンド処理部１６に指示し、携帯電話基地局２と通信を行うため、無線のタイミング制御等を行う（図７ステップＳ３７）。
【００６５】
この時、ベースバンド処理部１６は変復調部１５に指示し、無線信号の変復調処理を行い（図７ステップＳ３８）、変復調部１５は無線部１４に指示し、変調した無線信号をアンテナ１３を通して携帯電話基地局２に送信する（図７ステップＳ３９）。
【００６６】
携帯電話機１と携帯電話基地局２との間で無線通信が確立すると、携帯電話基地局２は交換機３を経由し、携帯電話機１からダイヤルされた通信先である情報提供サービス局４（本実施例の場合、天気予報サービスを行う情報提供サービス局）に接続する。
【００６７】
ここで、情報提供サービス局４と携帯電話機１との通信が開始された時、携帯電話機１の制御部２０はメモリ２１に記憶した文字情報のみを受信する旨の設定を読出し、情報提供サービス局４に自動的にその旨を通知する（図７ステップＳ４０）。
【００６８】
情報提供サービス局４は通信制御部４４を通して携帯電話機１からのサービスの要求を制御部４１によって認識する（図９ステップＳ６１）。この時、携帯電話機１からのサービスの要求が「文字情報のみ」であるかの情報を判断し（図９ステップＳ６２）、携帯電話機１が発信した地域の天気予報を文字情報で伝達するため、文字情報提供部４６に指示して文字情報を出力し（図９ステップＳ６５）、通信制御部４４から公衆通信網１００に文字情報を流す（図９ステップＳ６６）。文字情報は交換機３及び携帯電話基地局２を経由し、無線通信によって携帯電話機１に伝達される。
【００６９】
携帯電話機１では無線通信によって文字情報を受信する場合、アンテナ１３を通して無線部１４で受信し（図７ステップＳ４１，Ｓ４２）、変復調部１５で復調を行い（図７ステップＳ４６）、ベースバンド処理部１６に文字情報を渡す。ベースバンド処理部１６では文字情報のデータを抽出し（図７ステップＳ４７）、制御部２０に渡す。制御部２０では受信した文字情報を表示部１１に表示する（図７ステップＳ４８）。
【００７０】
こうした手順によって、携帯電話機１の使用者は天気予報を文字情報によって確認することができる。音声情報に関しては携帯電話機１の使用者が要求していないので、情報提供サービス局４から送信されない。
【００７１】
次に、音声情報と文字情報との両方のサービスを受ける場合について説明する。携帯電話機１の使用者は音声情報と文字情報との両方で天気予報を知りたい場合、キー操作部１２から所定のキー操作によって、音声情報と文字情報との両方のサービスを受けたい旨の設定を行う。制御部２０はこの設定を認識すると、メモリ２１にその旨を記憶する（図７ステップＳ３１，Ｓ３２，Ｓ３５）。
【００７２】
その後、携帯電話機１の使用者は１７７番のダイヤル発信を行うため、初めにキー操作部１２に１７７番をキー入力し、発信操作を行う。制御部２０はキー入力が行われたことを認識し、そのダイヤル番号で発信操作が行われたことを認識すると、キー入力された数字を表示部２０に表示し（図７ステップＳ３６）、ベースバンド処理部１６に指示し、携帯電話基地局２と通信を行うため、無線のタイミング制御等を行う（図７ステップＳ３７）。
【００７３】
この時、ベースバンド処理部１６は変復調部１５に指示して無線信号の変復調処理を行い（図７ステップＳ３８）、変復調部１５は無線部１４に指示し、変調した無線信号をアンテナ１３を通して携帯電話基地局２に送信する（図７ステップＳ３９）。
【００７４】
携帯電話機１と携帯電話基地局２との間で無線通信が確立すると、携帯電話基地局２は交換機３を経由して、携帯電話機１からダイヤルされた通信先である情報提供サービス局４（ここでの実施例の場合、天気予報サービスを行う情報提供サービス局）に接続する。
【００７５】
ここで、情報提供サービス局４と携帯電話機１との通信が開始された時、携帯電話機１の制御部２０はメモリ２１に記憶した音声情報と文字情報との両方を受信する旨の設定を読出し、情報提供サービス局４に自動的にその旨を通知する（図７ステップＳ４０）。
【００７６】
情報提供サービス局４は通信制御部４４を通じて携帯電話機１からのサービスの要求を制御部４１によって認識する。この時、携帯電話機１からのサービスの要求が　「音声情報と文字情報との両方」であるかの情報を判断する（図９ステップＳ６１，Ｓ６２）。
【００７７】
制御部４１は携帯電話機１が発信した地域の天気予報を音声情報で伝達するため、音声情報提供部４５に指示して音声情報を出力し（図９ステップＳ６７）、通信制御部４４から公衆通信網１００に音声情報を流す（図９ステップＳ６８）。音声情報は交換機３及び携帯電話基地局２を経由し、無線通信によって携帯電話機１に伝達される。
【００７８】
携帯電話機１では無線通信によって音声情報を受信する場合、アンテナ１３を通して無線部１４で受信し（図８ステップＳ４１，Ｓ４２）、変復調部１５で復調を行い（図８ステップＳ４９）、ベースバンド処理部１６に音声情報を渡す。ベースバンド処理部１６では音声情報のデータを抽出し（図８ステップＳ５０）、音声処理部１７に渡す。音声処理部１７では受信した音声をＤ／Ａ変換等の信号処理をした上で、スピーカ１９を通して音声出力を行う（図８ステップＳ５１）。
【００７９】
また、制御部４１は携帯電話機１が発信した地域の天気予報を文字情報で伝達するため、文字情報提供部４６に指示して文字情報を出力し（図９ステップＳ６７）、通信制御部４４から公衆通信網１００に文字情報を流す（図９ステップＳ６８）。文字情報は交換機３及び携帯電話基地局２を経由し、無線通信によって携帯電話機１に文字情報を伝達する。
【００８０】
携帯電話機１では無線通信によって文字情報を受信する場合、アンテナ１３を通して無線部１４で受信し、変復調部１５で復調を行い（図８ステップＳ４９）、ベースバンド処理部１６に文字情報を渡す。ベースバンド処理部１６では文字情報のデータを抽出し（図８ステップＳ５０）、制御部２０に渡す。制御部２０では受信した文字情報を表示部１１に表示する（図８ステップＳ５１）。
【００８１】
これによって、携帯電話機１の使用者は音声情報と文字情報との両方で天気予報の情報を得ることができる。本発明の他の実施例では上記の３通りの使用方法を携帯電話機１の使用者が使い分けることによって、環境に合った利用方法を提供することができる。
【００８２】
【発明の効果】
以上説明したように本発明は、携帯電話機に音声情報と文字情報とを同時に受信する機能と、音声出力と文字情報の表示とを同時行う機能とを備え、情報提供サービス局に音声情報と文字情報とを同時に送信する機能を備えることによって、特別なキー操作を必要とすることなく、特番ダイヤルによる音声サービスを利用する際に正確な情報を得ることができるという効果が得られる。
【図面の簡単な説明】
【図１】本発明の一実施例による携帯電話システムの構成を示すブロック図である。
【図２】図１の携帯電話機の構成を示すブロック図である。
【図３】図１の情報提供サービス局の構成を示すブロック図である。
【図４】図１の携帯電話機の外観を示す正面図である。
【図５】図１の携帯電話機の動作を示すフローチャートである。
【図６】図１の情報提供サービス局の動作を示すフローチャートである。
【図７】本発明の他の実施例による携帯電話機の動作を示すフローチャートである。
【図８】本発明の他の実施例による携帯電話機の動作を示すフローチャートである。
【図９】本発明の他の実施例による情報提供サービス局の動作を示すフローチャートである。
【符号の説明】
１　携帯電話機
２　携帯電話基地局
３　交換機
４　情報提供サービス局
１１　表示部
１２　キー操作部
１３　アンテナ
１４　無線部
１５　変復調部
１６　ベースバンド処理部
１７　音声処理部
１８　マイク
１９　スピーカ
２０　制御部
２１　メモリ
２２
４１　制御部
４２　メモリ
４３　操作部
４４　通信制御部
４５　音声情報提供部
４６　文字情報提供部
【図１】
2004128823.tif 000003
【図２】
2004128823.tif 000004
【図３】
2004128823.tif 000005
【図４】
2004128823.tif 000006
【図５】
2004128823.tif 000007
【図６】
2004128823.tif 000008
【図７】
2004128823.tif 000009
【図８】
2004128823.tif 000010
【図９】
2004128823.tif 000011